(57)【要約】  【課題】映像再生装置の映像を、不要な場面を確実にカットしながら短時間でダビングすることが可能な映像記録装置を提供する。  【解決手段】ＤＶＤレコーダは、ＩＥＥＥ１３９４インターフェイスにより接続されたＤＶカムコーダから映像が入力されると、テレビのモニタに映出したダビング画面Ｇ２中に当該入力映像Ｖを表示させるとともに、当該入力映像ＶのＤＶＤへのダビングを開始し、続けて、入力映像Ｖのダビングの一時停止を指示するＤＶシーンカットキーＸ２を入力映像Ｖとともにモニタに表示させる。そして、リモコンによりＤＶシーンカットキーＸ２が操作されると、入力映像ＶのＤＶＤへのダビングを一時停止する。これにより、ダビングしている入力映像の不要な場面がモニタに表示され始めた直後にＤＶシーンカットキーＸ２を的確に操作して、不要な場面を確実にカットしながら短時間でダビングすることが可能となる。【選択図】  図４Ｂ
2005318185.tif 000002
【特許請求の範囲】
【請求項１】
接続された映像再生装置と通信を行うためのＩＥＥＥ１３９４インターフェイスと、動作指示を入力するために操作するリモートコントローラと、前記映像再生装置で再生されて前記インターフェイスを介して入力される映像を接続されたテレビのモニタに表示させたり、前記リモートコントローラの操作に基づいて記録媒体に記録したりする制御部とを備えた映像記録装置において、
前記制御部は、
当該映像記録装置および前記映像再生装置の動作状態と、前記映像再生装置の映像の記録開始を指示する記録開始キーとを前記モニタに表示させ、
前記リモートコントローラにより前記記録開始キーが操作されると、前記映像再生装置に前記インターフェイスを介して制御信号を送信して映像の再生を開始させて、映像再生装置から再生されて入力される映像の記録媒体への記録を開始し、前記記録開始キーに代えて前記映像再生装置からの入力映像の記録の一時停止を指示する記録カットキーと前記入力映像の記録中止を指示する記録中止キーとを前記モニタに表示させ、
前記リモートコントローラにより前記記録カットキーが操作されると、前記入力映像の記録媒体への記録を一時停止し、当該記録カットキーに代えて前記入力映像の記録再開を指示する記録再開キーを前記モニタに表示させ、
前記リモートコントローラにより前記記録再開キーが操作されると、前記入力映像の記録媒体への記録を再開し、当該記録再開キーに代えて前記記録カットキーを再び前記モニタに表示させ、
前記リモートコントローラにより前記記録中止キーが操作されると、前記入力映像の記録媒体への記録を中止して、前記映像再生装置に前記インターフェイスを介して制御信号を送信して映像の再生を中止させ、前記記録中止キーと前記記録カットキーまたは前記記録再開キーに代えて前記記録開始キーを再び前記モニタに表示させることを特徴とする映像記録装置。
【請求項２】
接続された映像再生装置と通信を行うための通信手段と、動作指示を入力するために操作する操作手段と、前記映像再生装置で再生されて前記通信手段を介して入力される映像を接続された表示手段に表示させたり、前記操作手段の操作に基づいて記録媒体に記録したりする制御手段とを備えた映像記録装置において、
前記制御手段は、前記映像再生装置からの入力映像の記録媒体への記録を開始すると、前記入力映像の記録の一時停止を指示する記録カットキーを前記表示手段に表示させ、前記操作手段により前記記録カットキーが操作されると、前記入力映像の記録媒体への記録を一時停止することを特徴とする映像記録装置。
【請求項３】
請求項２に記載の映像記録装置において、
前記制御手段は、前記操作手段により前記記録カットキーが操作されると、当該記録カットキーに代えて前記映像再生装置からの入力映像の記録再開を指示する記録再開キーを前記表示手段に表示させ、前記操作手段により前記記録再開キーが操作されると、前記入力映像の記録媒体への記録を再開し、前記記録再開キーに代えて前記記録カットキーを前記表示手段に表示させることを特徴とする映像記録装置。
【請求項４】
請求項２または請求項３に記載の映像記録装置において、
前記制御手段は、前記映像再生装置の映像の記録開始を指示する記録開始キーを前記表示手段に表示させ、前記操作手段により前記記録開始キーが操作されると、前記映像再生装置に前記通信手段を介して制御信号を送信して映像の再生を開始させて、映像再生装置から再生されて入力される入力映像の記録媒体への記録を開始し、前記記録開始キーに代えて前記記録カットキーを前記表示手段に表示させることを特徴とする映像記録装置。
【請求項５】
請求項２ないし請求項４のいずれかに記載の映像記録装置において、
前記制御手段は、前記映像再生装置からの入力映像の記録媒体への記録を開始すると、前記入力映像の記録中止を指示する記録中止キーを前記表示手段に表示させ、前記操作手段により前記記録中止キーが操作されると、前記入力映像の記録媒体への記録を中止して、前記映像再生装置に前記通信手段を介して制御信号を送信して映像の再生を中止させることを特徴とする映像記録装置。
【請求項６】
請求項２ないし請求項５のいずれかに記載の映像記録装置において、
前記制御手段は、当該映像記録装置と前記映像再生装置の動作状態をそれぞれ前記表示手段に表示させることを特徴とする映像記録装置。
【請求項７】
請求項２ないし請求項６のいずれかに記載の映像記録装置において、
前記記録カットキーの操作時より前に記録媒体に記録した映像を遡って消去する時間を設定する消去設定手段を備え、
前記制御手段は、前記操作手段により前記記録カットキーが操作された後に前記映像再生装置からの入力映像の記録再開を指示する記録再開キーが操作されると、前記記録カットキーの操作時から前記消去設定手段で設定された時間分前に記録媒体へ記録した映像に、前記映像再生装置からの入力映像を上書き記録することを特徴とする映像記録装置。
【請求項８】
請求項２ないし請求項７のいずれかに記載の映像記録装置において、
前記映像再生装置からの入力映像の記録再開を指示する記録再開キーの操作時より前に前記映像再生装置から入力された映像を遡って記録する時間を設定する記録設定手段を備え、
前記制御手段は、前記操作手段により前記記録再開キーが操作されると、前記記録再開キーの操作時から前記記録設定手段で設定された時間分前の前記映像再生装置からの入力映像を、記録媒体に記録することを特徴とする映像記録装置。
【発明の詳細な説明】
【技術分野】
【０００１】
本発明は、映像再生装置と接続され、当該映像再生装置で再生された映像をダビングすることが可能な映像記録装置に関するものである。
【背景技術】
【０００２】
例えばＤＶＤレコーダやＨＤＤレコーダのような映像を記録可能な映像記録装置には、ＤＶカムコーダ（デジタルビデオカムコーダのことであり、デジタルビデオカメラともいう）等で撮影された映像をダビング（記録）することが可能なものがある。そのダビングの一般的な方法として従来は、例えばＤＶＤレコーダとＤＶカムコーダとをケーブルで接続した後、ＤＶカムコーダに設けられた再生キーを押すことにより、ＤＶカムコーダで予め撮影してＤＶテープに記録しておいた映像を再生してＤＶＤレコーダへ入力させ、この状態でＤＶＤレコーダに設けられた録画キーを押すことにより、ＤＶカムコーダから入力させる映像をＤＶＤレコーダに装着されたＤＶＤ（Digital Versatile Disk）に記録させていた。このとき、下記の特許文献１に記載されているように、ダビングしようとする映像をテレビのモニタに表示させることで、当該映像を確認しながらのダビングを可能としている。
【０００３】
そして、ＤＶカムコーダの映像の不要な場面をカットする（ダビングしないようにする）には、ＤＶカムコーダで不要な場面が再生されてテレビのモニタ等に表示され始めると、ＤＶＤレコーダに設けられた一時停止キーを押すことにより、ＤＶカムコーダからの入力映像のＤＶＤへの記録を一時停止させ、その後、ＤＶカムコーダで不要な場面が再生し終わって、続いて必要な場面が再生されてテレビのモニタ等に表示され始めると、ＤＶＤレコーダの録画キーを押すことにより、入力映像のＤＶＤへの記録を再開させていた。なお、下記の特許文献２に記載されているように、一時停止キーを押して映像の記録を一時停止させたときに、記録一時停止状態を示すマークをテレビのモニタに表示させることで、その状態を把握させて録画キーの再操作を忘れずに行わせることが可能となる。
【０００４】
また、別のダビング方法として、下記の特許文献３では、編集再生処理において、ビデオカメラでカセットテープの記録映像が所定秒再生されるごとに、ビデオカメラに設けられた選択キーまたは非選択キーを押して、その所定秒の領域の映像をダビングするか否かを選択し、選択結果をビデオカメラに備わるメモリに記録させる。そしてその後、記録処理において、ビデオカメラに設けられた編集再生開始キーを押すと、ビデオカメラがメモリの選択結果に基づいてこれから再生しようとしている領域がダビングする領域かダビングしない領域かを判別し、ダビングする領域であれば、当該領域を再生してビデオデッキに入力するとともに、ビデオデッキに録画信号を送信して入力映像をビデオテープに記録させ、ダビングしない領域であれば、ビデオデッキに一時停止信号を送信して入力映像の記録を一時停止させるとともに、非ダビング領域を再生することなく早送りする。
【特許文献１】特開平１０−１５０６０９号公報（段落００２２、００２３）
【特許文献２】特開平２−１０１３９９号公報（第５〜９頁、第３Ａ〜３Ｅ図）
【特許文献３】特開平１１−８８８１９号公報（段落００２５〜００４０、図４、５）
【発明の開示】
【発明が解決しようとする課題】
【０００５】
上述したように、従来は、ＤＶカムコーダから入力される映像の不要な場面をカットするには、ＤＶカムコーダで不要な場面が再生されてテレビのモニタに表示され始めた直後に、ＤＶＤレコーダに設けられた一時停止キーを押さなければならなかった。ところが、ＤＶＤレコーダには、一般的に一時停止キー以外に録画キーや停止キーといった多数のキーが設けられているので、咄嗟に一時停止キーを押そうとすると、誤って他のキーを押してしまうことがあり、従来は不要な場面を確実にカットできないという問題があった。これに対して、特許文献３では、編集再生処理において、カセットテープの記録映像の必要な場面はダビングする領域とし、不要な場面はダビングしない領域として設定しておくと、その後の記録処理においては、編集再生開始キーを押すだけで、不要な場面がカットされ、必要な場面だけがビデオデッキでダビングされるので、上記従来のようにキーの誤操作により不要な場面がカットされないということは生じない。しかしながら、特許文献３では、編集再生処理時と記録処理時に、ビデオカメラでカセットテープの記録映像をそれぞれ再生しなければならないので、映像をダビングするまでに非常に時間がかかるという問題がある。
【０００６】
本発明は、上記問題点を解決するものであって、その課題とするところは、映像再生装置の映像を、不要な場面を確実にカットしながら短時間でダビングすることが可能な映像記録装置を提供することにある。
【課題を解決するための手段】
【０００７】
本発明では、接続された映像再生装置と通信を行うための通信手段と、動作指示を入力するために操作する操作手段と、映像再生装置で再生されて通信手段を介して入力される映像を接続された表示手段に表示させたり、操作手段の操作に基づいて記録媒体に記録したりする制御手段とを備えた映像記録装置において、制御手段は、映像再生装置からの入力映像の記録媒体への記録を開始すると、入力映像の記録の一時停止を指示する記録カットキーを表示手段に表示させ、操作手段により記録カットキーが操作されると、入力映像の記録媒体への記録を一時停止する。
【０００８】
上記のように、映像再生装置からの入力映像の記録媒体へのダビング（記録）を開始したときに、記録カットキーを表示手段に表示させることで、ユーザは表示手段を見ることにより、ダビングしている入力映像と記録カットキーとを同時に確認することができるので、当該映像の不要な場面が表示手段に表示され始めた直後に記録カットキーを的確に操作して、不要な場面を確実にカット（記録媒体に記録しないように）することが可能となる。また、映像再生装置からの入力映像の記録媒体へのダビングを行いながら、当該映像の不要な場面をカットできるので、短時間でダビングすることが可能となる。
【０００９】
また、本発明の実施形態においては、制御手段は、操作手段により記録カットキーが操作されると、当該記録カットキーに代えて映像再生装置からの入力映像の記録再開を指示する記録再開キーを表示手段に表示させ、操作手段により記録再開キーが操作されると、入力映像の記録媒体への記録を再開し、記録再開キーに代えて記録カットキーを表示手段に表示させる。このように、記録カットキーが操作されたときに、記録カットキーに代えて記録再開キーを表示手段に表示させることで、ユーザは表示手段を見ることにより、ダビングをカットしている入力映像と記録再開キーとを同時に確認することができるので、当該映像の不要な場面が過ぎて必要な場面が表示手段に表示され始めた直後に記録再開キーを的確に操作することができ、不要な場面のカットを確実に終了して、必要な場面のダビングを確実に再開することが可能となる。また、上記のように記録カットキーと記録再開キーとを切り替えて表示手段に表示させることで、入力映像のダビング中は記録カットキーが表示手段に表示され、ダビング一時停止中は記録再開キーが表示手段に表示されるので、ユーザは必要なときに誤操作することなく記録カットキーまたは記録再開キーを確実に操作することが可能となる。
【００１０】
また、本発明の実施形態においては、制御手段は、映像再生装置の映像の記録開始を指示する記録開始キーを表示手段に表示させ、操作手段により記録開始キーが操作されると、映像再生装置に通信手段を介して制御信号を送信して映像の再生を開始させて、映像再生装置から再生されて入力される入力映像の記録媒体への記録を開始し、記録開始キーに代えて記録カットキーを表示手段に表示させる。このように、記録開始キーを表示手段に表示させることで、ユーザは表示手段を見ることにより、記録開始キーを確認することができ、記録開始キーを的確に操作して、映像再生装置での映像の再生と映像のダビングとを同時に開始することが可能となる。また、ユーザは映像再生装置に設けられた操作キーを操作することなく、記録開始キーを操作するだけでよいので、ダビングを開始するためのキー操作を容易にすることができる。
【００１１】
また、本発明の実施形態においては、制御手段は、映像再生装置からの入力映像の記録媒体への記録を開始すると、入力映像の記録中止を指示する記録中止キーを表示手段に表示させ、操作手段により記録中止キーが操作されると、入力映像の記録媒体への記録を中止して、映像再生装置に通信手段を介して制御信号を送信して映像の再生を中止させる。このように、映像再生装置からの入力映像の記録媒体へのダビングを開始したときに、記録中止キーを表示手段に表示させることで、ユーザは表示手段を見ることにより、ダビングしている入力映像と記録中止キーとを同時に確認することができるので、所望の場面で記録中止キーを的確に操作して、映像のダビングと映像再生装置での映像の再生を同時に中止することが可能となる。また、ユーザは映像再生装置に設けられた操作キーを操作することなく、記録中止キーを操作するだけでよいので、ダビングとダビングする映像の再生とを中止するためのキー操作を容易にすることができる。
【００１２】
また、本発明の実施形態においては、制御手段は、当該映像記録装置と映像再生装置の動作状態をそれぞれ表示手段に表示させる。このようにすると、ユーザは表示手段を見ることにより、映像記録装置と映像再生装置の動作状態を把握することができ、表示手段に表示された各キーの誤操作を確実に防止することが可能となる。
【００１３】
また、本発明の他の実施形態においては、記録カットキーの操作時より前に記録媒体に記録した映像を遡って消去する時間を設定する消去設定手段を備え、制御手段は、操作手段により記録カットキーが操作された後に記録再開キーが操作されると、記録カットキーの操作時から消去設定手段で設定された時間分前に記録媒体へ記録した映像に、映像再生装置からの入力映像を上書き記録する。このようにすることで、映像再生装置からの入力映像の不要な場面が表示手段に表示され始めてから、実際に記録カットキーが操作された時までの間の不要な場面を、確実にカットすることが可能となる。
【００１４】
また、本発明の他の実施形態においては、記録再開キーの操作時より前に映像再生装置から入力された映像を遡って記録する時間を設定する記録設定手段を備え、制御手段は、操作手段により記録再開キーが操作されると、記録再開キーの操作時から記録設定手段で設定された時間分前の映像再生装置からの入力映像を、記録媒体に記録する。このようにすることで、映像再生装置からの入力映像の不要な場面が過ぎて必要な場面が表示手段に表示され始めてから、実際に記録再開キーが操作された時までの間の必要な場面を、確実にダビングすることが可能となる。
【００１５】
さらに、本発明の実施形態においては、通信手段は、ＩＥＥＥ１３９４の規格に準拠したＩＥＥＥ１３９４インターフェイスであり、操作手段は、リモートコントローラであり、表示手段は、映像記録装置に接続されたテレビのモニタであり、制御手段は、ＣＰＵとＲＡＭおよびＲＯＭのメモリ等からなる制御部である。この構成において、制御部は、まず、映像記録装置および映像再生装置の動作状態と、記録開始キーとをモニタに表示させる。そして、リモートコントローラにより記録開始キーが操作されると、映像再生装置にインターフェイスを介して制御信号を送信して映像の再生を開始させて、映像再生装置から再生されて入力される映像の記録媒体への記録を開始し、記録開始キーに代えて記録カットキーと記録中止キーとをモニタに表示させる。この後、リモートコントローラにより記録カットキーが操作されると、入力映像の記録媒体への記録を一時停止し、当該記録カットキーに代えて記録再開キーを記録中止キーとともにモニタに表示させる。そして、リモートコントローラにより記録再開キーが操作されると、入力映像の記録媒体への記録を再開し、当該記録再開キーに代えて記録カットキーを再びモニタに表示させる。また、リモートコントローラにより記録中止キーが操作されると、入力映像の記録媒体への記録を中止して、映像再生装置にインターフェイスを介して制御信号を送信して映像の再生を中止させ、記録中止キーと記録カットキーまたは記録再開キーに代えて記録開始キーを再びモニタに表示させる。上記のようにキーを切り替えて表示手段に表示させることで、ユーザは適宜モニタを見ることにより、映像再生装置からの入力映像がないときは記録開始キーを、入力映像があるときは記録中止キーと記録カットキーまたは記録再開キーを確認することができるので、必要なときに必要なキーを的確に操作することができ、キーの誤操作を確実に防止することが可能となる。
【発明の効果】
【００１６】
本発明によれば、ユーザは表示手段を見ることによりダビングしている入力映像と記録カットキーとを同時に確認することができるので、当該映像の不要な場面が表示手段に表示され始めた直後に記録カットキーを的確に操作して、不要な場面を確実にカットすることが可能となる。また、映像再生装置からの入力映像のダビングを行いながら、当該映像の不要な場面をカットできるので、短時間でダビングすることが可能となる。
【発明を実施するための最良の形態】
【００１７】
図１は、ＤＶＤレコーダとＤＶカムコーダを示すブロック図である。図１において、右側に示すＤＶＤ（Digital Versatile Disk）レコーダ１０は、本発明における映像記録装置の一実施形態を構成し、左側に示すＤＶ（Digital Video）カムコーダ２０は、本発明における映像再生装置の一実施形態を構成する。ＤＶＤレコーダ１０とＤＶカムコーダ２０とは、ＡＶ機器間またはＡＶ機器とパーソナルコンピュータとを接続するＩＥＥＥ１３９４の規格に準拠したＩＥＥＥ１３９４インターフェイス（以下、単にインターフェイスという）７、２７をそれぞれ備えていて、同規格に準拠したケーブルＣで接続されている。このため、ＤＶＤレコーダ１０とＤＶカムコーダ２０とは、インターフェイス７、２７によって接続相手を認識し合い、相互に通信を行うことが可能である。インターフェイス７は、本発明における通信手段の一実施形態を構成する。３０はテレビジョン受像機（以下、テレビという）であって、ＤＶＤレコーダ１０に接続されている。
【００１８】
ＤＶＤレコーダ１０において、１はＤＶＤレコーダ１０の各部を制御する制御部であって、ＣＰＵ１ａおよびＲＡＭやＲＯＭのようなメモリ１ｂ等から構成されている。この制御部１は、本発明における制御手段の一実施形態を構成する。Ａはテレビ番組等の放送電波を受信するアンテナ、２はアンテナＡで受信した放送電波（映像を含んだアナログの信号）を選局するチューナである。３は信号処理部であって、この信号処理部３は、チューナ２から入力されるアナログの信号を、テレビ３０に出力したり、デジタル化した後にＭＰＥＧ２（Moving Picture Experts Group Phase2）フォーマットの圧縮されたデータに変換（ＭＰＥＧ符号化）してディスク読書部４に出力したりする。また、信号処理部３は、後述するようにＤＶカムコーダ２０から入力されるデータを、アナログの信号に変換してテレビ３０に出力したり、ＭＰＥＧ２フォーマットのデータに変換してディスク読書部４に出力したりする。ディスク読書部４は、ピックアップやこれの駆動回路やディスク駆動回路等から構成されていて、制御部１や信号処理部３から入力されるデータを、装着されたＤＶＤ４０に記録したり、ＤＶＤ４０に記録されたデータを読み出して制御部１や信号処理部３に出力したりする。ディスク読書部４から信号処理部３に出力されたデータは、信号処理部３で再生（ＭＰＥＧ復号化およびアナログ信号への変換）されてテレビ３０に出力される。テレビ３０は、信号処理部３のアナログの信号に基づいてモニタ３１に映像を表示し、スピーカ３２から音声を出力する。テレビ３０のモニタ３１は、本発明における表示手段の一実施形態を構成する。信号処理部３のＯＳＤ（On Screen Display）回路３ａは、制御部１から入力される画像データをテレビ３０のモニタ３１にオンスクリーン表示できるように処理する。
【００１９】
５はＶＦＤ（蛍光表示管）からなる表示部であって、時間やＤＶＤレコーダ１０の動作状態等を表示する。６はＤＶＤレコーダ１０の本体部に設けられた各種の操作キーからなる操作部である。８はリモコン受信部であって、リモートコントローラ（以下、リモコンという）９からの信号を受信する。リモコン９は、本発明における操作手段の一実施形態を構成し、図２に示すように各種の操作キーを備えている。本実施形態において重要なものを説明すると、Ｚ１はダビングキー、Ｚ３はメニューキー、Ｚ４は決定キー、Ｚ５は矢印キーである。
【００２０】
図１のＤＶカムコーダ２０において、２１はＤＶカムコーダ２０の各部を制御する制御部であって、ＣＰＵ２１ａおよびＲＡＭやＲＯＭのようなメモリ２１ｂ等から構成されている。２２はカメラからなる撮像部であって、映像を撮影する。２３は信号処理部であって、撮像部２２で撮影した映像をデジタル化した後にＤＶ（Digital Video）フォーマットの圧縮されたデータに処理してテープ読書部２４に出力する。テープ読書部２４は、信号処理部２３から入力されるデータを装着されたＤＶカセット５０のテープに書き込んだり、テープの記録データを読み出して信号処理部２３に出力したりする。テープ読書部２４から信号処理部２３に送られるデータは、信号処理部２３で再生される。２５はＬＣＤ（液晶ディスプレイ）からなる表示部であって、撮像部２２で撮影された映像や信号処理部２３で再生された映像を表示する。２６はＤＶカムコーダ２０に設けられた操作キーからなる操作部である。この操作部２６を操作することにより、撮像部２２で撮影してＤＶカセット５０に記録する映像または記録した映像に、タイトル等の情報を付加することが可能である。制御部２１は、信号処理部２３で再生された映像をインターフェイス２７を介してＤＶＤレコーダ１０に送る。
【００２１】
図３および図４Ａ〜図４Cは、テレビ３０のモニタ３１（図１）にオンスクリーン表示される画面の一例を示す図である。各画面の画像データは、ＤＶＤレコーダ１０の制御部１のメモリ１ｂに記録されている。図３に示すセットアップ画面Ｇ１は、前述のリモコン９のメニューキーＺ３（図２）が押されたときにモニタ３１に表示される。この画面Ｇ１中には、録画、映像、設定、初期化、ダビング、音声の６つのキーが設けられている。前述の矢印キーＺ５（図２）を操作し、画面Ｇ１中のカーソルＫ１をダビングキーＺ２に合わせて、前述の決定キーＺ４（図２）を押すと、ダビングキーＺ２が押された状態（ＯＮ状態）になった後、画面Ｇ１がモニタ３１から消えて、代わりに図４Ａに示すダビング画面Ｇ２がモニタ３１に表示される。なお、ダビング画面Ｇ２は、前述のリモコン９のダビングキーＺ１（図２）が押されたときにも表示される。
【００２２】
ダビング画面Ｇ２において、ＤＶカムコーダ２０でＤＶカセット５０の記録映像が再生されて、当該映像がインターフェイス７を介してＤＶＤレコーダ１０に入力されるまでの間は、図４Ａに示すようにブルーバック映像（青背景の映像）Ｖ１が表示される。そして、ＤＶカムコーダ２０からＤＶＤレコーダ１０に映像が入力されると、ブルーバック映像Ｖ１に代えて、図４Ｂおよび図４Ｃに示すようにＤＶカムコーダ２０からの入力映像Ｖ２が表示される。ＷはＤＶＤレコーダ１０およびＤＶカムコーダ２０の動作状態を示す状態ウインドウである。図４ＡのウインドウＷでは、ＤＶＤレコーダ１０とＤＶカムコーダ２０が両方とも動作停止中であることを示している。図４ＢのウインドウＷでは、ＤＶカムコーダ２０がＤＶカセット５０の記録映像を再生中であり、ＤＶＤレコーダ１０がＤＶカムコーダ２０で再生されてインターフェイス７を介して入力された映像をＤＶＤ４０に録画中であることを示している。さらに、図４ＣのウインドウＷでは、ＤＶカムコーダ２０がＤＶカセット５０に記録した映像を再生中であり、ＤＶＤレコーダ１０がＤＶカムコーダ２０から入力された映像のＤＶＤ４０への録画を一時停止中であることを示している。
【００２３】
図４Ａに示すＤＶ取り込み開始キーＸ１は、ＤＶカムコーダ２０の映像の記録開始を指示するキーであり、本発明における記録開始キーの一実施形態を構成する。この開始キーＸ１にカーソルＫ２が合わさった状態（図４Ａの状態）で、リモコン９の決定キーＺ４を押すと、開始キーＸ１が押された状態（ＯＮ状態）になった後、後述するようにＤＶカムコーダ２０がＤＶカセット５０の記録映像の再生を開始し、ＤＶＤレコーダ１０がＤＶカムコーダ２０から再生されて入力される映像のＤＶＤ４０への記録を開始する。また、画面Ｇ２から開始キーＸ１の表示が消えて、代わりに図４Ｂに示すように、ＤＶシーンカットキーＸ２とＤＶ取り込み中止キーＸ３とが表示される。ＤＶシーンカットキーＸ２は、ＤＶカムコーダ２０からの入力映像の記録の一時停止を指示するキーであり、本発明における記録カットキーの一実施形態を構成する。ＤＶ取り込み中止キーＸ３は、入力映像の記録中止を指示するキーであり、本発明における記録中止キーの一実施形態を構成する。なお、シーンカットキーＸ２と中止キーＸ３とが画面Ｇ２に表示されると、咄嗟に操作され使用頻度の高いシーンカットキーＸ２にカーソルＫ２が合わさった状態になる。
【００２４】
シーンカットキーＸ２にカーソルＫ２が合わさった状態（図４Ｂの状態）で、決定キーＺ４を押すと、シーンカットキーＸ２が押された状態（ＯＮ状態）になった後、後述するようにＤＶＤレコーダ１０がＤＶカムコーダ２０からの入力映像のＤＶＤ４０への記録を一時停止する。また、画面Ｇ２からシーンカットキーＸ２の表示が消えて、代わりに図４Ｃに示すように、ＤＶ取り込み再開キーＸ４が中止キーＸ３とともに表示される。ＤＶ取り込み再開キーＸ４は、ＤＶカムコーダ２０からの入力映像の記録再開を指示するキーであり、本発明における記録再開キーの一実施形態を構成する。なお、再開キーＸ４と中止キーＸ３とが画面Ｇ２に表示されると、咄嗟に操作され使用頻度の高い再開キーＸ４にカーソルＫ２が合わさった状態になる。
【００２５】
再開キーＸ４にカーソルＫ２が合わさった状態（図４Ｃの状態）で、決定キーＺ４を押すと、再開キーＸ４が押された状態（ＯＮ状態）になった後、後述するようにＤＶＤレコーダ１０がＤＶカムコーダ２０からの入力映像のＤＶＤ４０への記録を再開する。また、画面Ｇ２から再開キーＸ４の表示が消えて、代わりに図４Ｂに示したように、シーンカットキーＸ２が中止キーＸ３とともに表示される。そして、リモコン９の矢印キーＺ５を操作する（左向きの矢印キーＺ５を１回押す）ことにより、中止キーＸ３にカーソルＫ２を合わせた状態で、決定キーＺ４を押すと、中止キーＸ３が押された状態（ＯＮ状態）になった後、後述するようにＤＶＤレコーダ１０がＤＶカムコーダ２０からの入力映像のＤＶＤ４０への記録を中止し、ＤＶカムコーダ２０がＤＶカセット５０の記録映像の再生を中止する。また、画面Ｇ２から中止キーＸ３と、シーンカットキーＸ２または再開キーＸ４の表示が消えて、代わりに図４Ａに示したように、開始キーＸ１がブルーバック映像Ｖ１とともに表示される。
【００２６】
図５は、ＤＶＤレコーダ１０の動作手順を示すフローチャートである。各処理は、ＤＶＤレコーダ１０の制御部１（図１）が実行する。図５において、ユーザによって前述のリモコン９のダビングキーＺ１（図２）または前述のセットアップ画面Ｇ１のダビングキーＺ２（図３）が押されてＯＮ状態になると、制御部１は、ＤＶＤレコーダ１０にＤＶカムコーダ２０がケーブルＣにより接続されているか否かを確認する（ステップＳ１）。ここで、ＤＶＤレコーダ１０にＤＶカムコーダ２０が接続されていなければ（ステップＳ１：ＮＯ）、制御部１は、「接続エラー」のメッセージをテレビ３０のモニタ３１（図１）にオンスクリーン表示して（ステップＳ２）、処理を終了する。これに対して、ＤＶＤレコーダ１０にＤＶカムコーダ２０が接続されていれば（ステップＳ１：ＹＥＳ）、制御部１は、チューナ２（図１）からの入力映像ではなく、ＤＶカムコーダ２０からの入力映像をテレビ３０への出力映像として切り替える（ステップＳ３）。そして続けて、制御部１は、図４Ａに示したようにダビング画面Ｇ２をモニタ３１に表示させ（ステップＳ４）、当該画面Ｇ２中にＤＶ取り込み開始キーＸ１と状態ウインドウＷを表示させる（ステップＳ５）。このとき、状態ウインドウＷには、図４Ａに示したようにＤＶＤレコーダ１０とＤＶカムコーダ２０が両方とも動作停止中であると示される。
【００２７】
この後、ＤＶ取り込み開始キーＸ１がＯＮ状態になることなく（ステップＳ６：ＮＯ）、ユーザにより前述のリモコン９のメニューキーＺ３（図２）や、チューナ２からの入力映像の表示を指示するためのキー（図２のキー「１」等）が操作される等して他の画面への移行指示を受けると（ステップＳ７：ＹＥＳ）、制御部１は、モニタ３１からダビング画面Ｇ２の表示を消去して（ステップＳ２３）、処理を終了する。これに対して、ユーザにより前述したようにＤＶ取り込み開始キーＸ１が押されてＯＮ状態になると（ステップＳ６：ＹＥＳ）、制御部１は、インターフェイス７を介してＤＶカムコーダ２０に再生コマンドを送信して、ＤＶカムコーダ２０にＤＶカセット４０の記録映像の再生を開始させる（ステップＳ８）。ＤＶカムコーダ２０は映像の再生を開始すると、再生した映像をインターフェイス２７を介してＤＶＤレコーダ１０に送信するため、制御部１は、インターフェイス７を介して映像が入力されると、その入力映像をダビング画面Ｇ２に表示して、ＤＶＤ４０への録画を開始する（ステップＳ９）。そして続けて、制御部１は、ＤＶ取り込み開始キーＸ１に代えて、図４Ｂに示したようにＤＶシーンカットキーＸ２とＤＶ取り込み中止キーＸ３とを画面Ｇ２に表示させ（ステップＳ１０）、画面Ｇ２中の状態ウインドウＷの表示を更新する（ステップＳ１１）。このとき、状態ウインドウＷには、図４Ｂに示したようにＤＶＤレコーダ１０が録画中であり、ＤＶカムコーダ２０が再生中であると示される。
【００２８】
しばらくした後、ＤＶカムコーダ２０からの入力映像の不要な場面が画面Ｇ２に表示され始めたため、ユーザにより前述したようにＤＶシーンカットキーＸ２が押されてＯＮ状態になると（ステップＳ１２：ＹＥＳ）、制御部１は、ＤＶカムコーダ２０からの入力映像のＤＶＤ４０への録画を一時停止する（ステップＳ１３）。そして続けて、制御部１は、ＤＶシーンカットキーＸ２に代えて、図４Ｃに示したようにＤＶ取り込み再開キーＸ４をＤＶ取り込み中止キーＸ３とともに画面Ｇ２に表示させ（ステップＳ１４）、画面Ｇ２中の状態ウインドウＷの表示を更新する（ステップＳ１５）。このとき、状態ウインドウＷには、図４Ｃに示したようにＤＶＤレコーダ１０が録画一時停止中であり、ＤＶカムコーダ２０が再生中であると示される。
【００２９】
そして、ＤＶカムコーダ２０からの入力映像の不要な場面が過ぎて、必要な場面が画面Ｇ２に表示され始めたため、ユーザにより前述したようにＤＶ取り込み再開キーＸ４が押されてＯＮ状態になると（ステップＳ１６：ＹＥＳ）、制御部１は、ステップＳ９へ移行して、ＤＶカムコーダ２０からの入力映像のＤＶＤ４０への録画を再開し、ＤＶ取り込み再開キーＸ４に代えて、図４Ｂに示したようにＤＶシーンカットキーＸ２を再びＤＶ取り込み中止キーＸ３とともに画面Ｇ２に表示させ（ステップＳ１０）、前述したように画面Ｇ２中の状態ウインドウＷの表示を更新する（ステップＳ１１）。この後、制御部１は、ステップＳ１２以降の処理を前述した手順と同様に実行して行く。
【００３０】
一方、ステップＳ１１の実行後に、ＤＶシーンカットキーＸ２がＯＮ状態になることなく（ステップＳ１２：ＮＯ）、ユーザにより前述したようにＤＶ取り込み中止キーＸ３が押されてＯＮ状態になると（ステップＳ２０：ＹＥＳ）、制御部１は、ＤＶカムコーダ２０からの入力映像のＤＶＤ４０への録画を中止し（ステップＳ１８）、インターフェイス７を介してＤＶカムコーダ２０に再生中止コマンドを送信して、ＤＶカムコーダ２０に映像の再生を中止させる（ステップＳ１９）。なお、ステップＳ１５の実行後に、ＤＶ取り込み再開キーＸ４がＯＮ状態になることなく（ステップＳ１６：ＮＯ）、ユーザによりＤＶ取り込み中止キーＸ３が押されてＯＮ状態になったときも（ステップＳ１７：ＹＥＳ）、制御部１は、上述したように入力映像の録画を中止し（ステップＳ１８）、ＤＶカムコーダ２０に映像の再生を中止させる（ステップＳ１９）。映像の再生を中止させると、ＤＶカムコーダ２０からＤＶＤレコーダ１０には映像が入力されなくなるので、画面Ｇ２にはブルーバック映像Ｖ１が表示される。そして続けて、制御部１は、ＤＶシーンカットキーＸ２とＤＶ取り込み中止キーＸ３に代えて、図４Ａに示したようにＤＶ取り込み開始キーＸ４を再び画面Ｇ２に表示させ、画面Ｇ２中の状態ウインドウＷの表示を更新する（ステップＳ５）。この後、制御部１は、ステップＳ６以降の処理を前述した手順と同様に実行して行く。
【００３１】
また、ステップＳ１１の実行後に、ＤＶシーンカットキーＸ２がＯＮ状態にならず（ステップＳ１２：ＮＯ）、ＤＶ取り込み中止キーＸ３もＯＮ状態になることなく（ステップＳ２０：ＮＯ）、ＤＶカムコーダ２０でＤＶカセット５０の記録映像が終端まで再生されて再生が終了すると（ステップＳ２１：ＹＥＳ）、制御部１は、ＤＶカムコーダ２０から映像が入力されなくなるので、ＤＶＤ４０への映像の録画を停止し（ステップＳ２２）、モニタ３１からダビング画面Ｇ２の表示を消去して（ステップＳ２３）、処理を終了する。
【００３２】
以上のように、ＤＶカムコーダ２０からの入力映像のＤＶＤ４０へのダビング（録画）を開始したときに、ＤＶシーンカットキーＸ２をテレビ３０のモニタ３１に表示させることで、ユーザはモニタ３１を見ることにより、ダビングしている入力映像とＤＶシーンカットキーＸ２とを同時に確認することができるので、当該映像の不要な場面がモニタ３１に表示され始めた直後に、リモコン９によりＤＶシーンカットキーＸ２を的確に操作して、不要な場面を確実にカット（記録媒体に記録しないように）することが可能となる。また、ＤＶカムコーダ２０からの入力映像のＤＶＤ４０へのダビングを行いながら、当該映像の不要な場面をカットできるので、短時間でダビングすることが可能となる。
【００３３】
また、ＤＶシーンカットキーＸ２が操作されたときに、ＤＶシーンカットキーＸ２に代えてＤＶ取り込み再開キーＸ４をモニタ３１に表示させることで、ユーザはモニタ３１を見ることにより、ダビングをカットしている入力映像とＤＶ取り込み再開キーＸ４とを同時に確認することができるので、当該映像の不要な場面が過ぎて必要な場面がモニタ３１に表示され始めた直後に、ＤＶ取り込み再開キーＸ４を的確に操作することができ、不要な場面のカットを確実に終了して、必要な場面のダビングを確実に再開することが可能となる。また、ＤＶシーンカットキーＸ２とＤＶ取り込み再開キーＸ４とを切り替えてモニタ３１に表示させることで、入力映像のダビング中はＤＶシーンカットキーＸ２がモニタ３１に表示され、ダビング一時停止中はＤＶ取り込み再開キーＸ４がモニタ３１に表示されるので、ユーザは必要なときに誤操作することなく２つのキーＸ２、Ｘ４を確実に操作することが可能となる。
【００３４】
また、ダビングキーＺ１、Ｚ２のいずれかが操作された後に、ＤＶ取り込み開始キーＸ１をモニタ３１に表示させることで、ユーザはモニタ３１を見ることにより、ＤＶ取り込み開始キーＸ１を確認することができ、当該開始キーＸ１を的確に操作して、ＤＶカムコーダ２０での映像の再生と映像のダビングとを同時に開始することが可能となる。さらに加えて、ユーザはＤＶカムコーダ２０に設けられた操作キーを操作することなく、ＤＶ取り込み開始キーＸ１を操作するだけでよいので、ダビングを開始するためのキー操作を容易にすることができる。
【００３５】
また、ＤＶカムコーダ２０からの入力映像のＤＶＤ４０へのダビングを開始したときに、ＤＶ取り込み中止キーＸ３をモニタ３１に表示させることで、ユーザはモニタ３１を見ることにより、ダビングしている入力映像とＤＶ取り込み中止キーＸ３とを確認することができるので、所望の場面で当該中止キーＸ３を的確に操作して、映像のダビングとＤＶカムコーダ２０での映像の再生を同時に中止することが可能となる。さらに加えて、ユーザはＤＶカムコーダ２０に設けられた操作キーを操作することなく、ＤＶ取り込み中止キーＸ３を操作するだけでよいので、ダビングとダビングする映像の再生とを中止するためのキー操作を容易にすることができる。
【００３６】
また、ＤＶＤレコーダ１０とＤＶカムコーダ２０の動作状態をそれぞれモニタ３１に表示させることで、ユーザはモニタ３１を見ることにより、両装置１０、２０の動作状態を把握することができ、モニタ３１に表示された各キーの誤操作を確実に防止することが可能となる。さらに、上述したようにＤＶ取り込み開始キーＸ１、ＤＶシーンカットキーＸ２、ＤＶ取り込み中止キーＸ３、およびＤＶ取り込み再開キーＸ４を切り替えてモニタ３１に表示させることで、ユーザは適宜モニタ３１を見ることにより、ＤＶカムコーダ２０からの入力映像がないときはキーＸ１を、入力映像があるときはキーＸ３とキーＸ２またはキーＸ４を確認することができるので、必要なときに必要なキーＸ１〜Ｘ４を的確に操作することができ、キーＸ１〜Ｘ４の誤操作を確実に防止することが可能となる。
【００３７】
図６Ａおよび図６Ｂは、本発明の他の実施形態を示す図である。各図は、前述のテレビ３０のモニタ３１にオンスクリーン表示される画面の一例を示している。なお、図中、図４Ｂおよび図４Ｃと同一箇所には同一符号を付している。図６Ａのダビング画面Ｇ２ａに表示されているＤＶシーンカットキーＸ２ａには、当該カットキーＸ２ａの操作時より前にＤＶＤ４０に録画した映像を遡って消去する時間を設定する１秒キーＥ１、３秒キーＥ３、５秒キーＥ５、１０秒キーＥ１０の４つの消去設定キーが設けられている。これらの消去設定キーＥ１〜Ｅ１０は、本発明における消去設定手段を構成する。ユーザにより前述の矢印キーＺ５（図２）が操作されてカーソルＫ２が設定キーＥ１〜Ｅ１０のいずれかに合わされた後に、前述の決定キーＺ４（図２）が押されると、制御部１（図１）は、ＤＶシーンカットキーＸ２ａが操作されてＯＮ状態になったと判断するとともに、カーソルＫ２が合わされたいずれかの消去設定キーＥ１〜Ｅ１０が消去時間として設定されたと判断する。そして、制御部１は、前述したようにＤＶカムコーダ２０からの入力映像のＤＶＤ４０への記録を一時停止し、画面Ｇ２からシーンカットキーＸ２ａの表示を消去して、代わりに図６Ｂに示すように、ＤＶ取り込み再開キーＸ４ａを、ＤＶ取り込み中止キーＸ３とともに表示させる。
ＤＶ取り込み再開キーＸ４ａには、当該再開キーＸ４ａの操作時より前にＤＶＤ４０から入力された映像を遡って記録する時間を設定する１秒キーＲ１、３秒キーＲ３、５秒キーＲ５、１０秒キーＲ１０の４つの記録設定キーＲ１〜Ｒ１０が設けられている。これらの記録設定キーＲ１〜Ｒ１０は、本発明における記録設定手段を構成する。ユーザにより矢印キーＺ５が操作されてカーソルＫ２が記録設定キーＲ１〜Ｒ１０のいずれかに合わされた後に、決定キーＺ４が押されると、制御部１は、ＤＶ取り込み再開キーＸ４ａが操作されてＯＮ状態になったと判断するとともに、カーソルＫ２が合わされたいずれかの記録設定キーＲ１〜Ｒ１０が記録時間として設定されたと判断する。そして、制御部１は、ＤＶシーンカットキーＸ２ａの操作時からいずれかの消去設定キーＥ１〜Ｅ１０で設定された消去時間分前にＤＶＤ４０へ記録した映像に、ＤＶ取り込み再開キーＸ４ａの操作時からいずれかの設定キーＲ１〜Ｒ１０で設定された記録時間分前のＤＶカムコーダ２０からの入力映像を上書き記録する。具体的には、例えば消去設定１秒キーＥ１により消去時間として１秒が設定され、記録設定３秒キーＲ３により記録時間として３秒が設定された場合は、制御部１は、ＤＶシーンカットキーＸ２ａの操作時の１秒前から操作時までにＤＶＤ４０へ記録した映像に、ＤＶ取り込み再開キーＸ４ａの操作時の３秒前にＤＶカムコーダ２０より入力された映像から上書き記録して行く。
【００３８】
上記のようにすると、ＤＶカムコーダ２０からの入力映像の不要な場面がモニタ３１に表示され始めてから、実際にＤＶシーンカットキーＸ２ａが操作された時までの間の不要な場面を、確実にカットすることが可能となる。また、ＤＶカムコーダ２０からの入力映像の不要な場面が過ぎて必要な場面がモニタ３１に表示され始めてから、実際にＤＶ取り込み再開キーＸ４ａが操作された時までの間の必要な場面を、確実にダビングすることが可能となる。
【００３９】
以上述べた実施形態では、映像再生装置として、ＤＶカムコーダ２０を用いた場合を例に挙げているが、本発明はこれのみに限定するものではなく、これ以外に、例えばカメラ等の撮像部を備えていないデジタルビデオ、ＨＤＤ（ハードディスク）レコーダ、ＤＶＤレコーダ等を用いてもよい。つまり、映像再生装置としては、ケーブル等で接続された映像記録装置と相互に通信を行うためのインターフェイスを備え、記録媒体に記録された映像を再生して映像記録装置に入力できるようなＡＶ機器であればよい。
【００４０】
さらに、以上の実施形態では、ＤＶＤレコーダ１０に本発明を適用した場合を例に挙げているが、本発明はこれ以外にも、例えばＨＤＤレコーダ、ＨＤＤ付きＤＶＤレコーダ、テレビ一体型ＤＶＤレコーダ等のような映像を記録媒体に記録可能なＡＶ機器に適用することが可能である。
【図面の簡単な説明】
【００４１】
【図１】ＤＶＤレコーダとＤＶカムコーダを示すブロック図である。
【図２】ＤＶＤレコーダのリモートコントローラを示す図である。
【図３】テレビのモニタに表示される画面の一例を示す図である。
【図４Ａ】テレビのモニタに表示される画面の一例を示す図である。
【図４Ｂ】テレビのモニタに表示される画面の一例を示す図である。
【図４Ｃ】テレビのモニタに表示される画面の一例を示す図である。
【図５】ＤＶＤレコーダの動作手順を示すフローチャートである。
【図６Ａ】他の実施形態を示す図である。
【図６Ｂ】他の実施形態を示す図である。
【符号の説明】
【００４２】
１      制御部
７      ＩＥＥＥ１３９４インターフェイス
９      リモートコントローラ
１０    ＤＶＤレコーダ
２０    ＤＶカムコーダ
３０    テレビ
３１    モニタ
４０    ＤＶＤ
Ｘ１    ＤＶ取り込み開始キー
Ｘ２    ＤＶシーンカットキー
Ｘ３    ＤＶ取り込み中止キー
Ｘ４    ＤＶ取り込み再開キー
Ｅ１、Ｅ３、Ｅ５、Ｅ１０    消去設定キー
Ｒ１、Ｒ３、Ｒ５、Ｒ１０    記録設定キー
【図１】
2005318185.tif 000003
【図２】
2005318185.tif 000004
【図３】
2005318185.tif 000005
【図４Ａ】
2005318185.tif 000006
【図４Ｂ】
2005318185.tif 000007
【図４Ｃ】
2005318185.tif 000008
【図５】
2005318185.tif 000009
【図６Ａ】
2005318185.tif 000010
【図６Ｂ】
2005318185.tif 000011